(57)【要約】【課題】  本発明は、カメラによる撮影に使用される閃光発光装置に関し、照明自由度を従来より大幅に向上することを目的とする。【解決手段】  複数の発光ユニットを備え、発光ユニットに、発光方向に平行な第１の回転軸を中心に回転可能な２つの発光部を設けてなることを特徴とする。また、発光部が、第１の回転軸と直交する第２の回転軸を中心に回転可能とされていることを特徴とする。【選択図】      図１
2005164913.tif 000002
【特許請求の範囲】
【請求項１】
複数の発光ユニットを備え、前記発光ユニットに、発光方向に平行な第１の回転軸を中心に回転可能な２つの発光部を設けてなることを特徴とする閃光発光装置。
【請求項２】
請求項１記載の閃光発光装置において、
前記発光部は、前記第１の回転軸と直交する第２の回転軸を中心に回転可能とされていることを特徴とする閃光発光装置。
【請求項３】
請求項１記載の閃光発光装置において、
前記発光ユニットは、
前記第１の回転軸を有する軸部材と、
前記軸部材の前記第１の回転軸を中心にして回転可能とされる２つの支持部材と、
前記支持部材に前記第１の回転軸と直交する第２の回転軸を中心にして回転可能に支持される発光部と、
を有することを特徴とする閃光発光装置。
【請求項４】
請求項１ないし請求項３のいずれか１項記載の閃光発光装置において、
前記第１の回転軸を有する部材に、定常発光可能な照明手段を配置してなることを特徴とする閃光発光装置。
【請求項５】
請求項１ないし請求項４のいずれか１項記載の閃光発光装置において、
前記発光ユニットの２つの発光部と前記第１の回転軸とが一直線上に位置しない所定の角度で、前記発光ユニットをレンズ鏡筒に取り付け可能とされていることを特徴とする閃光発光装置。
【請求項６】
請求項５記載の閃光発光装置において、
レンズ鏡筒に着脱自在に装着されて前記発光ユニットを支持するレンズアタッチメントを有し、前記レンズアタッチメントは、前記発光ユニットの２つの発光部と前記第１の回転軸とが一直線上に位置しない所定の角度で、前記発光ユニットを前記レンズ鏡筒の光軸を中心とした同心円上の接線方向に沿って保持可能なことを特徴とする閃光発光装置。
【請求項７】
請求項５記載の閃光発光装置において、
レンズ鏡筒に着脱自在に装着されて前記発光ユニットを支持するレンズアタッチメントを有し、前記レンズアタッチメントは、前記発光ユニットの２つの発光部と前記第１の回転軸とが一直線上に位置しない所定の角度で、前記発光ユニットを前記レンズ鏡筒から離れるに従って広がるように保持可能なことを特徴とする閃光発光装置。
【請求項８】
請求項１ないし請求項５のいずれか１項記載の閃光発光装置において、
レンズ鏡筒に着脱自在に装着されるレンズアタッチメントを有し、前記レンズアタッチメントは、可撓性支持部材により前記発光ユニットを支持することを特徴とする閃光発光装置。
【発明の詳細な説明】
【技術分野】
【０００１】
本発明は、カメラによる撮影に使用される閃光発光装置に関する。
【背景技術】
【０００２】
従来、カメラによる接写撮影用の閃光発光装置として、リングライト方式とツインライト方式が知られている。
リングライト方式とは、レンズ鏡筒の先端を取り囲んで、円環または方形に発光部を配置したものである。このリングライト方式は、主に小物体の無影撮影に用いられる。
ツインライト方式とは、発光部を２つ用意し、２つの発光部をレンズ鏡筒の先端に支持手段により可動可能に支持し、自由な配光を得ようとするものである。このツインライト方式は、発光部の配置自由度が高いことから、近接撮影時の光量不足を補うとともに、撮影意図に応じた照明を行うために使用される。
【０００３】
従来、発光部の配置自由度を高めたツインライト方式の閃光発光装置として、例えば、特開２００２−２２９１０６号公報，特開２００２−２８７２４１号公報に開示されるものが知られている。
【特許文献１】特開２００２−２２９１０６号公報
【特許文献２】特開２００２−２８７２４１号公報
【発明の開示】
【発明が解決しようとする課題】
【０００４】
しかしながら、従来のリングライト方式またはツインライト方式の閃光発光装置では、どちらか一方の形態しかとることができないという問題があった。
すなわち、リングライト方式は無影撮影に適しているが、照明の自由度がなく、ツインライト方式は、照明の自由度はあるものの、発光部が２つしかないため無影撮影が困難であるという問題があった。
【０００５】
本発明は、かかる従来の問題を解決するためになされたもので、照明自由度を従来より大幅に向上することができる閃光発光装置を提供することを目的とする。
【課題を解決するための手段】
【０００６】
請求項１の閃光発光装置は、複数の発光ユニットを備え、前記発光ユニットに、発光方向に平行な第１の回転軸を中心に回転可能な２つの発光部を設けてなることを特徴とする。
請求項２の閃光発光装置は、請求項１記載の閃光発光装置において、前記発光部は、前記第１の回転軸と直交する第２の回転軸を中心に回転可能とされていることを特徴とする。
【０００７】
請求項３の閃光発光装置は、請求項１記載の閃光発光装置において、前記発光ユニットは、前記第１の回転軸を有する軸部材と、前記軸部材の前記第１の回転軸を中心にして回転可能とされる２つの支持部材と、前記支持部材に前記第１の回転軸と直交する第２の回転軸を中心にして回転可能に支持される発光部とを有することを特徴とする。
請求項４の閃光発光装置は、請求項１ないし請求項３のいずれか１項記載の閃光発光装置において、前記第１の回転軸を有する部材に、定常発光可能な照明手段を配置してなることを特徴とする。
【０００８】
請求項５の閃光発光装置は、請求項１ないし請求項４のいずれか１項記載の閃光発光装置において、前記発光ユニットの２つの発光部と前記第１の回転軸とが一直線上に位置しない所定の角度で、前記発光ユニットをレンズ鏡筒に取り付け可能とされていることを特徴とする。
請求項６の閃光発光装置は、請求項５記載の閃光発光装置において、レンズ鏡筒に着脱自在に装着されて前記発光ユニットを支持するレンズアタッチメントを有し、前記レンズアタッチメントは、前記発光ユニットの２つの発光部と前記第１の回転軸とが一直線上に位置しない所定の角度で、前記発光ユニットを前記レンズ鏡筒の光軸を中心とした同心円上の接線方向に沿って保持可能なことを特徴とする。
【０００９】
請求項７の閃光発光装置は、請求項５記載の閃光発光装置において、レンズ鏡筒に着脱自在に装着されて前記発光ユニットを支持するレンズアタッチメントを有し、前記レンズアタッチメントは、前記発光ユニットの２つの発光部と前記第１の回転軸とが一直線上に位置しない所定の角度で、前記発光ユニットを前記レンズ鏡筒から離れるに従って広がるように保持可能なことを特徴とする。
【００１０】
請求項８の閃光発光装置は、請求項１ないし請求項５のいずれか１項記載の閃光発光装置において、レンズ鏡筒に着脱自在に装着されるレンズアタッチメントを有し、前記レンズアタッチメントは、可撓性支持部材により前記発光ユニットを支持することを特徴とする。
【発明の効果】
【００１１】
請求項１の閃光発光装置では、複数の発光ユニットのそれぞれに、発光方向に平行な第１の回転軸を中心に回転可能な２つの発光部を設けたので、必要によりリングライトタイプ，ツインライトタイプ等の照明形態をとることが容易に可能になり、照明自由度を従来より大幅に向上することができる。
請求項２の閃光発光装置では、発光部を、第１の回転軸と直交する第２の回転軸を中心に回転可能としたので、発光方向の自由度をより向上することができる。
【００１２】
請求項３の閃光発光装置では、発光ユニットを、第１の回転軸を有する軸部材と、軸部材の第１の回転軸を中心にして回転可能とされる２つの支持部材と、支持部材に第１の回転軸と直交する第２の回転軸を中心にして回転可能に支持される発光部とから構成したので、照明自由度の高い発光ユニットを容易，確実に得ることができる。
請求項４の閃光発光装置では、第１の回転軸を有する部材に、定常発光可能な照明手段を配置したので、フォーカシングライト，ターゲットライト等として使用可能な定常光照明手段を、発光ユニットの小さいスペースに効果的に搭載することができる。
【００１３】
請求項５の閃光発光装置では、発光ユニットの２つの発光部と第１の回転軸とが一直線上に位置しない所定の角度で、発光ユニットをレンズ鏡筒に取り付け可能としたので、必要によりリングライトタイプ，広角レンズに対応するタイプ等の照明形態をとることが容易に可能になり、照明自由度をより向上することができる。
請求項６の閃光発光装置では、レンズアタッチメントにより、発光ユニットの発光部をレンズ鏡筒の光軸を中心とした同心円上の接線方向に沿って保持したので、リングライトタイプの照明形態を容易，確実に得ることができる。
【００１４】
請求項７の閃光発光装置では、レンズアタッチメントにより、発光ユニットの２つの発光部をレンズ鏡筒から離れるに従って広がるように保持したので、広角レンズに対応するタイプの照明形態を容易，確実に得ることができる。
請求項８の閃光発光装置では、レンズアタッチメントに可撓性支持部材を介して発光ユニットを支持するようにしたので、ツインライトタイプ等の照明形態を容易，確実に得ることができる。
【発明を実施するための最良の形態】
【００１５】
以下、本発明の実施形態を、図面を用いて詳細に説明する。
図１は、本発明の閃光発光装置の一実施形態を示している。
この実施形態の閃光発光装置は、２つの発光ユニット１１Ａ，１１Ｂと制御部１３とを有している。２つの発光ユニット１１Ａ，１１Ｂは、接続コード１５Ａ，１５Ｂにより制御部１３に接続されている。制御部１３は、カメラボディ１７に着脱自在に固定されている。
【００１６】
制御部１３には、図示しない電源，コンデンサ，制御回路，操作部材等が配置されている。この制御部１３は、２つの発光ユニット１１Ａ，１１Ｂの発光制御を行う。発光制御は、制御部１３と、制御部１３が接続されたカメラボディ１７との連動動作により行われる。
図２は、発光ユニット１１Ａ，１１Ｂの詳細を示している。
【００１７】
発光ユニット１１Ａ，１１Ｂは、軸部材１９，支持部材２１Ａ，２１Ｂおよび発光部２３Ａ，２３Ｂを有している。
軸部材１９は、円柱状をしており、先端部には、フォーカシングライト（焦点検出用の補助照明光源），ターゲットライト等として使用可能な照明手段２５が配置されている。この照明手段２５は、定常発光可能な定常光光源２７と、定常光光源２７の光を集光する集光レンズ２９とを備えている。軸部材１９の後端には、接続コード１５Ａ，１５Ｂが接続されている。
【００１８】
軸部材１９の外周には、軸部材１９の中心軸である第１の回転軸３１を中心にして回転可能とされる２つの支持部材２１Ａ，２１Ｂが配置されている。支持部材２１Ａ，２１Ｂの後端側には、外方に突出する支持部２１ａが形成されている。
この支持部２１ａには、発光部２３Ａ，２３Ｂが支持されている。発光部２３Ａ，２３Ｂは、軸部材１９の中心軸である第１の回転軸３１と直交する第２の回転軸３３を中心にして回転可能に支持部２１ａに支持されている。発光部２３Ａ，２３Ｂは、接続コード１５Ａ，１５Ｂに電気的に接続され、図１に示した制御部１３により発光を制御される。
【００１９】
発光部２３Ａ，２３Ｂは、直方体状をしており、第２の回転軸３３側の面と反対側の面に発光用の窓部２３ａが形成されている。この窓部２３ａは、軸部材１９を中心とした放射方向に沿った四角形状とされている。
そして、発光部２３Ａ，２３Ｂの窓部２３ａを軸部材１９の先端側に向けた、発光部２３Ａ，２３Ｂの基準位置での発光方向が、定常光光源２７の照明方向と一致している。
（使用例１）
図３および図４は、上述した閃光発光装置をリングライトタイプの照明形態に適用した使用例を示している。
【００２０】
この例では、図３に示すように、カメラボディ１７に装着されたレンズ鏡筒３５の先端に、円環状のレンズアタッチメント３７が装着されている。
レンズアタッチメント３７には、発光ユニット１１Ａ，１１Ｂを収容する収容部３７ａが形成されている。発光ユニット１１Ａ，１１Ｂは、接続コード１５Ａ，１５Ｂにより制御部１３に接続されている。なお、接続コード１５Ａ，１５Ｂは、発光ユニット１１Ａ，１１Ｂに着脱可能であっても固定であっても良い。着脱可能であれば分解収納が可能であり、固定であれば接続が確実で不用意な脱落等がなくなる。
【００２１】
そして、レンズアタッチメント３７の収容部３７ａには、図４に示すように、発光ユニット１１Ａ，１１Ｂの２つの発光部２３Ａ，２３Ｂが、所定の角度だけ開いた状態で（つまり、発光部２３Ａ，２３Ｂと回転軸３１とが一直線上に位置しない所定角度で）保持されている。この例では、２つの発光部２３Ａ，２３Ｂは、レンズ鏡筒３５の光軸を中心とした同心円上の接線方向に沿って保持されている。
【００２２】
レンズアタッチメント３７には、発光ユニット１１Ａ，１１Ｂの発光部２３Ａ，２３Ｂを覆う位置に拡散板３９が配置されている。この拡散板３９は、発光部２３Ａ，２３Ｂから発せられた光を拡散する。そして、軸部材１９の集光レンズ２９と重なる部分には拡散板３９を配置せず、集光レンズ２９から発せられる光を拡散せず直接被写体に投射する。
なお、この例では、拡散板３９は平板状であり、発光部２３Ａ，２３Ｂに近接して配置されているが、これ以外の方法をとっても良い。例えば、拡散板を大型化し、発光部２３Ａ，２３Ｂを拡散板から離して配置することで、より広い拡散面光源を得ることができる。
（使用例２）
図５および図６は、上述した閃光発光装置を広角レンズに対応する照明形態に適用した使用例を示している。
【００２３】
この例では、図５に示すように、カメラボディ１７に装着された広角レンズ用のレンズ鏡筒３５Ａの先端に、円環状のレンズアタッチメント３７Ａが装着されている。
レンズアタッチメント３７Ａには、発光ユニット１１Ａ，１１Ｂを保持する保持部３７ｂが形成されている。発光ユニット１１Ａ，１１Ｂは、接続コード１５Ａ，１５Ｂにより制御部１３に接続されている。
【００２４】
そして、レンズアタッチメント３７Ａの保持部３７ｂには、図６に示すように、発光ユニット１１Ａ，１１Ｂの２つの発光部２３Ａ，２３Ｂが、所定の角度だけ開いた状態で（つまり、発光部２３Ａ，２３Ｂと回転軸３１とが一直線上に位置しない所定角度で）保持されている。この例では、２つの発光部２３Ａ，２３Ｂは、レンズ鏡筒３５Ａから離れるに従って広がるように保持されている。この広がりの角度は、撮影レンズの画角や撮影意図によって変更可能である。
（使用例３）
図７は、上述した閃光発光装置をツインライトタイプの照明形態に適用した使用例を示している。
【００２５】
この例では、図示しないレンズ鏡筒の先端に、円環状のレンズアタッチメント３７Ｂが装着される。
レンズアタッチメント３７Ｂの両側には、屈曲自在な可撓性支持部材４１Ａ，４１Ｂの一端が固定され、可撓性支持部材４１Ａ，４１Ｂの他端に発光ユニット１１Ａ，１１Ｂの軸部材１９が支持されている。発光ユニット１１Ａ，１１Ｂは、接続コード１５Ａ，１５Ｂにより制御部１３に接続されている。
【００２６】
そして、発光ユニット１１Ａ，１１Ｂの２つの発光部２３Ａ，２３Ｂが、軸部材１９を中心にして回転され閉じた状態（発光部２３Ａ，２３Ｂを平行にした状態）で保持されている。
この例では、可撓性支持部材４１Ａ，４１Ｂに支持された発光ユニット１１Ａ，１１Ｂは、可撓性支持部材４１Ａ，４１Ｂを自由に変形することにより、図示しないレンズ鏡筒に対して自由な位置をとることができる。
【００２７】
なお、この例では、発光部２３Ａ，２３Ｂを閉じた形態で配置しているが、使用形態によっては、発光部２３Ａ，２３Ｂを開いた形態で配置しても良い。また、発光ユニット１１Ａ，１１Ｂを可撓性支持部材４１Ａ，４１Ｂに対して着脱自在に構成することにより、発光ユニット１１Ａ，１１Ｂを必要に応じて三脚等に固定して使用することが可能である。
【００２８】
上述した閃光発光装置では、２つの発光ユニット１１Ａ，１１Ｂのそれぞれに、発光方向に平行な第１の回転軸３１を中心に回転可能な２つの発光部２３Ａ，２３Ｂを設けたので、必要により、図３および図４に示したリングライトタイプ，図５および図６に示した広角レンズに対応するタイプ，図７に示したツインライトタイプ等の照明形態を得ることが容易に可能になり、照明自由度を従来より大幅に向上することができる。
【００２９】
また、１つの発光ユニット１１Ａ，１１Ｂに、それぞれ２つの発光部２３Ａ，２３Ｂを設けることにより、発光部２３Ａ，２３Ｂを独立して支持，制御する場合に比べて、支持機構や制御機構を単純化することが可能になり、操作の煩雑さやコストアップを最小限に抑えることができる。
そして、上述した閃光発光装置では、発光部２３Ａ，２３Ｂを、第１の回転軸３１と直交する第２の回転軸３３を中心に回転可能としたので、発光方向の自由度をより向上することができる。
【００３０】
また、上述した閃光発光装置では、発光ユニット１１Ａ，１１Ｂを、第１の回転軸３１を有する軸部材１９と、軸部材１９の第１の回転軸３１を中心にして回転可能とされる２つの支持部材２１Ａ，２１Ｂと、支持部材２１Ａ，２１Ｂに第１の回転軸３１と直交する第２の回転軸３３を中心にして回転可能に支持される発光部２３Ａ，２３Ｂとから構成したので、照明自由度の高い発光ユニット１１Ａ，１１Ｂを容易，確実に得ることができる。
【００３１】
そして、上述した閃光発光装置では、第１の回転軸３１を有する軸部材１９に、定常発光可能な照明手段２５を配置したので、フォーカシングライト，ターゲットライト等として使用可能な定常光照明手段を、発光ユニット１１Ａ，１１Ｂの小さいスペースに効果的に搭載することができる。
また、上述した閃光発光装置では、図４および図６に示したように、発光ユニット１１Ａ，１１Ｂの２つの発光部２３Ａ，２３Ｂと第１の回転軸３１とが一直線上に位置しない所定の角度で、発光ユニット１１Ａ，１１Ｂをレンズ鏡筒３５，３５Ａに取り付け可能としたので、必要によりリングライトタイプ，広角レンズに対応するタイプ等の照明形態をとることが容易に可能になり、照明自由度を従来より大幅に向上することができる。
【００３２】
そして、上述した閃光発光装置では、図４に示したように、レンズアタッチメント３７により、発光ユニット１１Ａ，１１Ｂの発光部２３Ａ，２３Ｂをレンズ鏡筒３５の光軸を中心とした同心円上の接線方向に沿って保持したので、リングライトタイプの照明形態を容易，確実に得ることができる。これにより、無影撮影が容易に可能になり、また、拡散板３９を使用することで、影の発生をより弱めることができる。
【００３３】
また、上述した閃光発光装置では、図６に示したように、レンズアタッチメント３７Ａにより、発光ユニット１１Ａ，１１Ｂの２つの発光部２３Ａ，２３Ｂをレンズ鏡筒３５Ａから離れるに従って広がるように保持したので、広角レンズに対応するタイプの照明形態を容易，確実に得ることができる。
すなわち、発光ユニット１１Ａ，１１Ｂの２つの発光部２３Ａ，２３Ｂをレンズ鏡筒３５Ａから離れるに従って広がるように配列することにり、リングライトタイプの形態よりも広い配光を得ることができ、広角レンズを用いた撮影にも容易に対応できる。そして、この時に、発光ユニット１１Ａ，１１Ｂの発光部２３Ａ，２３Ｂを、第２の回転軸３３を中心にして回動することにより、配光を広めつつ、より撮影意図に応じた照明を行うことができる。
【００３４】
また、上述した閃光発光装置では、図７に示したように、レンズアタッチメント３７Ｂに可撓性支持部材４１Ａ，４１Ｂを介して発光ユニット１１Ａ，１１Ｂを支持するようにしたので、ツインライトタイプ等の照明形態を容易，確実に得ることができる。
そして、発光ユニット１１Ａ，１１Ｂが、可撓性支持部材４１Ａ，４１Ｂおよびレンズアタッチメント３７を介して図示しないレンズ鏡筒に支持されるため、発光ユニット１１Ａ，１１Ｂを支持するための専用の三脚等が不要になり、機動性の高い撮影が可能になる。
【００３５】
なお、上述した実施形態では、閃光発光装置に２つの発光ユニット１１Ａ，１１Ｂを配置した例について説明したが、本発明はかかる実施形態に限定されるものではなく、３つ以上の発光ユニットを配置しても良い。
また、上述した実施形態では、発光ユニット１１Ａ，１１Ｂと制御部１３とを分離した例について説明したが、本発明はかかる実施形態に限定されるものではなく、発光ユニットに制御部を直接配置しても良い。
【図面の簡単な説明】
【００３６】
【図１】本発明の閃光発光装置の一実施形態を示す説明図である。
【図２】図１の発光ユニットの詳細を示す斜視図である。
【図３】図１の閃光発光装置をリングライトタイプとして使用する時の使用例を示す上面図である。
【図４】図３の正面図である。
【図５】図１の閃光発光装置を広角レンズによる撮影に使用する時の使用例を示す上面図である。
【図６】図５の正面図である。
【図７】図１の閃光発光装置をツインライトタイプとして使用する時の使用例を示す正面図である。
【符号の説明】
【００３７】
１１Ａ，１１Ｂ  発光ユニット
１９  軸部材
２１Ａ，２１Ｂ  支持部材
２３Ａ，２３Ｂ  発光部
２５  照明手段
３１  第１の回転軸
３３  第２の回転軸
３５，３５Ａ  レンズ鏡筒
３７，３７Ａ，３７Ｂ  レンズアタッチメント
４１Ａ，４１Ｂ  可撓性支持部材
【図１】
2005164913.tif 000003
【図２】
2005164913.tif 000004
【図３】
2005164913.tif 000005
【図４】
2005164913.tif 000006
【図５】
2005164913.tif 000007
【図６】
2005164913.tif 000008
【図７】
2005164913.tif 000009